(57)【要約】【課題】湿式潤滑材使用のキースイッチに於いて、キートップの打鍵時の摺動特性を向上させる。【解決手段】本発明は、キートップ２８に摺動部２７を垂設し、該キートップ２８の摺動部２７は電子機器等のフレーム２５に設けられているスライドガイド２６に挿入されて上下動自在に形成され、且つ、該キースイッチ２０の摺動部２７と該フレーム２５に設けられたスライドガイド２６との間に湿式潤滑材を塗布して成るキースイッチ２０に於いて、前記スライドガイド２６の内周面に対して前記キートップ２８の摺動部２７が縦方向における線接触の状態で上下可能に形成されて成る湿式潤滑材使用キースイッチを提供する。【選択図】　図１
2004071306.tif 000002
【特許請求の範囲】
【請求項１】
キートップに摺動部を垂設し、該キートップの摺動部は電子機器等のフレームに設けられているスライドガイドに挿入されて上下動自在に形成され、且つ、該キースイッチの摺動部と該フレームに設けられたスライドガイドとの間に湿式潤滑材を塗布して成るキースイッチに於いて、前記スライドガイドの内周面に対して前記キートップの摺動部が縦方向における線接触の状態で上下動可能に形成されたことを特徴とする湿式潤滑材使用キースイッチ。
【請求項２】
上記スライドガイドの内周面の横断面形状を多角形状に形成すると共に、上記キートップの摺動部の横断面形状も多角形状に形成し、該キートップの摺動部が該スライドガイドの内周面に対して線接触の状態で上下動可能に形成されたことを特徴とする請求項１記載の湿式潤滑材使用キースイッチ。
【請求項３】
上記スライドガイドの内周面の横断面形状を多角形状に形成すると共に、上記キートップの摺動部の横断面形状を円形状に形成し、該キートップの摺動部が該スライドガイドの内周面に対して線接触の状態で上下動可能に形成されたことを特徴とする請求項１記載の湿式潤滑材使用キースイッチ。
【請求項４】
上記スライドガイドの内周面の横断面形状は円形に形成され、且つ、上記キートップの摺動部の横断面形状を多角形状に形成し、該キートップの摺動部が該スライドガイドの内周面に対して線接触の状態で上下動可能に形成されたことを特徴とする請求項１記載の湿式潤滑材使用キースイッチ。
【発明の詳細な説明】
【０００１】
【発明の属する技術分野】
本発明は湿式潤滑材使用キースイッチに関するものであり、特に、該湿式潤滑材使用キースイッチのキートップによる打鍵操作を円滑にした湿式潤滑材使用キースイッチに関するものである。
【０００２】
【従来の技術】
従来の此種湿式潤滑材使用キースイッチを図３及び図４に従って説明する。図に於いて１はキースイッチである。該キースイッチ１は上部に打鍵用のキートップ２が配設されており、且つ、該キートップ２の裏面中心部に下面開放の中空円筒状の摺動部３が垂設されている。
【０００３】
一方、電子機器のシャーシ４の上面にはメンブレン基板５が配設されており、且つ、該シャーシ４上のフレーム６には、前記キートップ２の摺動部３を受け入れて該摺動部３が上下動できるように構成されたスライドガイド７が該フレーム６と一体に設けられている。
【０００４】
而して、該スライドガイド７は上下面開放の中空円筒状に形成されており、該スライドガイド７の中空部８に、該スライドガイド７の内周面の内径と略同径に形成されたキートップ２の摺動部３が遊挿され、前記キートップ２の打鍵操作により、該摺動部３が該スライドガイド７内周面に沿って上下動できるように構成されている。
【０００５】
又、該キートップ２の摺動部３の下面開放部に頭部９ａが嵌合されたクリックラバー９が前記メンブレン基板５との間に介装され、そして、該クリックラバー９によって該キートップ２が常時上方へ付勢され、該クリックラバー９の弾性力にて該キートップ２の打鍵操作を可能にしている。
【０００６】
そこで、該キースイッチ１のキートップ２を打鍵すれば、該キートップ２の摺動部３は前記スライドガイド７の内周面に案内され乍らクリックラバー９の付勢に抗して下降し、メンブレン基板５上の固定接点（図示せず）がオンすることになる。又、該キートップ２の打鍵動作を解除することにより、該キートップ２は前記クリックラバー９の付勢によって復元し、そして、該クリックラバー９の頭部９ａ裏面に設けられている導電性ラバー１０が前記メンブレン基板５上の固定接点より離間して該固定接点の電気導通をオフにする。
【０００７】
而して、前記円筒状に形成されたスライドガイド７の内周面に沿って前記円筒状に形成された摺動部３が円滑に摺動でき、且つ、騒音の発生を防止するために此種キースイッチ１に於いては、該スライドガイド７の内周面にグリス等から成る潤滑材１１が塗布されている。
【０００８】
【発明が解決しようとする課題】
上記従来の湿式潤滑材使用キースイッチは、キートップの摺動部とスライドガイドの内周面との間にグリス等の潤滑材を塗布しており、且つ、該キートップの摺動部とスライドガイドの内周面との双方の横断面形状が円形であって、略同径に形成されているので、該摺動部とスライドガイドの内周面とは面接触の状態で該スライドガイドが上下動し、更に、前記潤滑材の粘性及び表面張力等に基因して前記キートップの基本特性であるところの摺動性を阻害している。
【０００９】
そこで、湿式潤滑材使用のキースイッチに於いて、キートップの摺動特性を阻害しないようにするために解決すべき技術的課題が生じてくるのであり、本発明は該課題を解決することを目的とする。
【００１０】
【課題を解決するための手段】
本発明は上記目的を達成するために提案せられたものであり、キートップに摺動部を垂設し、該キートップの摺動部は電子機器等のフレームに設けられているスライドガイドに挿入されて上下動自在に形成され、且つ、該キースイッチの摺動部と該フレームに設けられたスライドガイドとの間に湿式潤滑材を塗布して成るキースイッチに於いて、前記スライドガイドの内周面に対して前記キートップの摺動部が縦方向における線接触の状態で上下動可能に形成されて成る湿式潤滑材使用キースイッチ、及び上記スライドガイドの内周面の横断面形状を多角形状に形成すると共に、上記キートップの摺動部の横断面形状も多角形状に形成し、該キートップの摺動部が該スライドガイドの内周面に対して線接触の状態で上下動可能に形成された湿式潤滑材使用キースイッチ、並びに、上記スライドガイドの内周面の横断面形状を多角形状に形成すると共に、上記キートップの摺動部の横断面形状を円形状に形成し、該キートップの摺動部が該スライドガイドの内周面に対して線接触の状態で上下動可能に形成された湿式潤滑材使用キースイッチ、及び上記スライドガイドの内周面の横断面形状は円形に形成され、且つ、上記キートップの摺動部の横断面形状を多角形状に形成し、該キートップの摺動部が該スライドガイドの内周面に対して線接触の状態で上下動可能に形成された湿式潤滑材使用キースイッチを提供するものである。
【００１１】
【発明の実施の形態】
以下、本発明の一実施の形態を図１及び図２に従って詳述する。図に於いて２０は湿式潤滑材使用キースイッチである。該キースイッチ２０は電子機器等のシャーシ２１上に配設されたメンブレン基板２２と、該メンブレン基板２２上に設けた固定接点２３と、該固定接点２３上面に配設されたクリックラバー２４と、電子機器のフレーム２５と一体に設けられたスライドガイド２６と、該スライドガイド２６の内周面に沿って上下動する摺動部２７を有するキートップ２８とから成る。
【００１２】
而して、上記キートップ２８はその裏面中央部に摺動部２７が垂設されており、且つ、該摺動部２７は下面開放の筒状体から成る。又、該キートップ２８の裏面であって、前記摺動部２７の左右両側に下端部が外側へ向って突設されたフック部２９ａ，２９ａを有する係止片２９，２９が垂設され、そして、該係止片２９，２９は該係止片２９，２９に対峙して前記フレーム２５に開穿された孔部３０，３０内へ遊挿されると共に、該キートップ２８が上方へ摺動する際、前記フック部２９ａ，２９ａを係止して該キートップ２８の上部移動を抑制するための係止部３０ａ，３０ａが該孔部３０の孔縁部に設けられている。
【００１３】
又、前記キートップ２８の摺動部２７は図２（ａ）に示す如く、横断面形状が八角形状に形成されており、更に、該八角形状の摺動部２７をガイドして上下動できるようにするために前記フレーム２５と一体成形されたスライドガイド２６が配設されている。而も、該スライドガイド２６の内周面の横断面形状は同図（ａ）に於いては前記八角形状の摺動部２７に対応して八角形状に形成されているが、該八角形状に形成された摺動部２７が該八角形状に形成されたスライドガイド２６の内周面を摺動して上下動する際には、該摺動部２７は八角形の稜線が該スライドガイド２６の内周面に線接触して上下動できるように組み込まれていることは当然である。
【００１４】
又、図２（ｂ）に於いては、前記摺動部２７の横断面形状は八角形状に形成されており、之に対応する前記スライドガイド２６の横断面形状は円形に形成されている。従って、該八角形状の摺動部２７が円形のスライドガイド２６の内周面に沿って上下動する際には、該八角形の稜線が該スライドガイド２６の内周面に線接触して上下動することになる。
【００１５】
更に又、図２（ｃ）に於いては該スライドガイド２６の内周面の横断面の形状が八角形状に形成されており、そして、前記摺動部２７の横断面形状は円形に形成されている。従って、該円形の摺動部２７が該八角形状のスライドガイド２６内周面に沿って上下動する際には該摺動部２７は前述したように該スライドガイド２６の内周面に対して線接触して上下動することになる。
【００１６】
尚、上記クリックラバー２４はその頭部２４ａが前記摺動部２７の下面開放部に嵌合されており、その脚部２４ｂは下面開放の碗形に形成されて前記メンブレン基板２２との間に介装され、そして、該メンブレン基板２２上に設けられている固定接点２３の直上に該クリックラバー２４の前記頭部裏面に突設された導電性ラバー３１が対峙して配設されている。而して、該クリックラバー２４はその弾性力にて該キートップ２８を常時上方へ付勢している。そこで、該キートップ２８を打鍵すれば、該キートップ２８の摺動部２７は前記スライドガイド２６の内周面に線接触し乍ら前記クリックラバー２４の付勢に抗して下降し、そして、メンブレン基板２２上の固定接点２３と前記導電性ラバー３１とが接触して該固定接点２３がオンすることになる。又、該キートップ２８の打鍵操作を解除すれば、該キートップ２８は前記クリックラバー２４の付勢によって上方へ復元し、そして、前記導電性ラバー３１が前記固定接点２３より離間して該固定接点２３の電気的導通が遮断されることになる。
【００１７】
又、本発明に係るキースイッチ２０に於ては、前記スライドガイド２６の内周面に沿って前記摺動部２７が円滑に上下動でき、且つ、騒音等の発生を防止するために該スライドガイド２６の内周面と該摺動部２７との間にグリス等から成る潤滑材３２が塗布されているのであるが、該潤滑材３２は従来は該潤滑材３２の粘性及び表面張力等により該キートップ２８の打鍵時に、該キートップ２８の上下動動作が急に早くなったり、或いは遅くなる等、該摺動部２７の摺動特性が大きく阻害されていた。而も、従来はスライドガイドと摺動部とが相似形の円形横断面に形成されているため、双方は面接触の状態で該摺動部が上下動していたので、摩擦抵抗が大となり、依って、前記欠陥は顕著に現れていた。
【００１８】
然るに、本発明に係る前記摺動部２７がスライドガイド２６の内周面に沿って上下動するときには、例えば八角形の稜線を介して線接触の状態で摺動するので、スライドガイド２６と摺動部２７との接触面積が極めて小であって、且つ、縦方向の稜線上を摺動するので、前記潤滑材３２からの悪影響をうけることは一切排除される。従って、スライドガイド２６の内周面に沿って上下動する摺動部の摺動特性が向上し、円滑なる打鍵操作が期待される。
【００１９】
尚、本発明は、本発明の精神を逸脱しない限り種々の改変を為すことができ、そして、本発明が該改変されたものに及ぶことは当然である。
【００２０】
【発明の効果】
本発明は上記一実施の形態にて詳述したように、湿式潤滑材使用キースイッチに於いて、スライドガイドの内周面に沿って上下動するキートップの摺動部は、例えば横断面形状が八角形状に形成され、そして、八角形の稜線が該スライドガイドの内周面に対して縦方向の線接触状態で上下動するように構成されているため、該スライドガイドの内周面に塗布されているグリス等の潤滑材の粘性又は表面張力によって該摺動部の摺動動作に悪影響を与えることは全くない。依って、キートップの摺動特性が改善されてキートップの打鍵操作性が向上する等、正に、著大なる効果を奏する発明である。
【図面の簡単な説明】
【図１】本発明の一実施の形態を示し、湿式潤滑材使用キースイッチの縦断面図。
【図２】（ａ）図１のＡ−Ａ線断面図。
（ｂ）同じく図１の他の実施の形態を示すＡ−Ａ線断面図。
（ｃ）同じく図１の更に他の実施の形態を示すＡ−Ａ線断面図。
【図３】従来例の湿式潤滑材使用キースイッチの縦断面図。
【図４】図３のＢ−Ｂ線断面図。
【符号の説明】
２０　　　　湿式潤滑材使用キースイッチ
２６　　　　スライドガイド
２７　　　　摺動部
２８　　　　キートップ
３３　　　　潤滑材
【図１】
2004071306.tif 000003
【図２】
2004071306.tif 000004
【図３】
2004071306.tif 000005
【図４】
2004071306.tif 000006